(57)【要約】【課題】配線を遊技機の内部に収容する際の作業性を向上することができる遊技機を提供する。【解決手段】遊技を行うことが可能な遊技機１Ａであって、遊技機１Ａの複数の基板を接続する複数の配線２１と、複数の配線２１を被覆する被覆部材６０と、を有し、被覆部材６０の長さは、配線２１の長さよりも短くされ、被覆部材６０は、配線２１の延在方向に沿って移動可能である。【選択図】図２
2018075139.tif 000002
【特許請求の範囲】
【請求項１】
遊技を行うことが可能な遊技機であって、
前記遊技機の複数の基板を接続する複数の配線と、前記複数の配線を被覆する被覆部材と、を有し、
前記被覆部材の長さは、前記配線の長さよりも短くされ、
前記被覆部材は、前記配線の延在方向に沿って移動可能であることを特徴とする遊技機。
【発明の詳細な説明】
【技術分野】
【０００１】
本発明は、パチンコ遊技機やスロットマシン等の遊技機に関する。
【背景技術】
【０００２】
パチンコ遊技機やスロットマシン等の遊技機として、従来、遊技機の複数の基板に接続される複数の配線と、前記複数の配線を被覆する被覆部材と、を有するものがある（例えば、特許文献１参照）。
【先行技術文献】
【特許文献】
【０００３】
【特許文献１】特開平７−２１３７１５号公報
【発明の概要】
【発明が解決しようとする課題】
【０００４】
上記特許文献１に開示された遊技機では、配線が、その全域にわたって被覆部材により覆われているので、配線全体が曲げにくくなり、配線を遊技機の内部に収容する際の作業性に改善の余地があった。
【０００５】
そこで、本発明の課題は、配線を遊技機の内部に収容する際の作業性を向上することができる遊技機を提供することを目的とする。
【課題を解決するための手段】
【０００６】
（１）遊技を行うことが可能な遊技機であって、前記遊技機の複数の基板を接続する複数の配線と、前記複数の配線を被覆する被覆部材と、を有し、前記被覆部材の長さは、前記配線の長さよりも短くされ、前記被覆部材は、前記配線の延在方向に沿って移動可能であることを特徴とする。
【０００７】
このような構成によれば、遊技機の基板に接続される配線を被覆する被覆部材が、配線の長さよりも短くされるとともに、被覆部材が配線の延在方向に沿って移動可能とされているので、配線を特に保護したい部分のみを被覆部材により被覆することで、被覆部材により被覆されている部分のみが、曲がりにくくなることになる。これにより、配線を遊技機の内部に収容する際に、配線全体が曲がりにくくなることが無く、配線を屈曲させながら遊技機の内部に収容する作業を容易に行うことができる。
また、配線を基板に接続する作業の過程において、被覆部材を、配線の延在方向における端部から中央部に向けて動かすことで、配線の延在方向における端部を露出させることができ、配線の接続作業における作業性を確保することができる。
【０００８】
（２）上記（１）に記載の遊技機において、前記被覆部材は、可撓性を有してもよい。
【０００９】
このような構成によれば、被覆部材が可撓性を有しているので、配線のうち、被覆部材により被覆した部分においても容易に屈曲させることができ、配線を遊技機の内部に収容する作業を一層容易に行うことができる。
【００１０】
（３）上記（１）または（２）の遊技機において、前記被覆部材は、前記延在方向に延びる筒状であってもよい。
【００１１】
このような構成によれば、被覆部材が筒状であるため、配線に対する径方向の広がりを抑え、被覆部材がかさ張るのを抑えることができる。
【００１２】
（４）上記（１）〜（３）のいずれかの遊技機において、複数の前記配線の前記延在方向における両端部にはそれぞれ、複数の前記配線を一体に連結するコネクタが連結され、前記被覆部材の最大内形寸法は、前記コネクタの最大外形寸法よりも小さくてもよい。
【００１３】
このような構成によれば、被覆部材の最大内径寸法が、複数の配線を、その両端部で一体に連結するコネクタの最大外形部分よりも小さいので、コネクタから配線の延在方向の外側に向けて被覆部材が外れることがなく、被覆部材の取扱性を確保することができる。
【００１４】
（５）上記（１）〜（４）のいずれかの遊技機において、前記被覆部材は、前記配線に着脱可能とされていてもよい。
【００１５】
このような構成によれば、被覆部材が配線に着脱可能とされているので、配線を基板に接続した状態のまま、被覆部材を取り外すことが可能になり、被覆部材の取扱性を確保することができる。
【００１６】
（６）上記（１）〜（５）のいずれかの遊技機において、前記被覆部材には、変形を容易にする特定部が形成されてもよい。
【００１７】
このような構成によれば、被覆部材に、変形を容易にする特定部が形成されているので、被覆部材を曲がりやすくすることができ、被覆部材を配線とともに遊技機内に収容する際の作業性を確保することができる。
【００１８】
（７）上記（１）〜（６）のいずれかの遊技機において、前記被覆部材は、前記延在方向に沿って前記複数の配線に対して螺旋状に巻回されていてもよい。
【００１９】
このような構成によれば、被覆部材が、配線に対して螺旋状に巻回されているので、変形を容易にする特定部を、被覆部材に沿って、螺旋状に形成することができる。
【００２０】
（８）上記（１）〜（７）のいずれかの遊技機において、前記配線のうち、前記被覆部材よりも前記延在方向の外側に位置する部分には、前記被覆部材の前記延在方向への移動を規制する規制部材が配設されてもよい。
【００２１】
このような構成によれば、配線に前記規制部材が配設されているので、配線のうち、被覆部材が位置する部分を制限することができ、被覆部材の取扱性を確保することができる。
【００２２】
（９）上記（１）〜（８）のいずれかの遊技機において、前記延在方向に直交する断面視において、前記被覆部材の内側に位置する部分の面積のうち、複数の前記配線が占める面積の割合は、５０％未満であってもよい。
【００２３】
このような構成によれば、被覆部材の内側に位置する部分の面積のうち、半分以上の面積が空いた状態となっているので、必要に応じて、例えば、基板に接続する配線の数を増やした際等に、これらの新たな配線を被覆部材により一体に被覆することができ、配線を被覆部材によりまとめて収容することができる。
【００２４】
（１０）上記（１）〜（９）のいずれかの遊技機において、正面視で矩形状をなす第１枠と、前記第１枠にヒンジ部を介して連結され、正面視で矩形状をなし、開閉自在な第２枠と、を備え、前記配線のうち、前記延在方向の一方側の端部は前記第１枠内に設けられ、他方側の端部は前記第２枠内に設けられ、前記第１枠及び前記第２枠のうち少なくともいずれか一方の内側には、前記第２枠を開いた際に、前記配線がヒンジ部に接近するのを抑止する抑止部材が配設されてもよい。
【００２５】
このような構成によれば、抑止部材により配線がヒンジ部が接近するのを抑止することとが可能になり、配線がヒンジ部に挟まれることで、断線するのを効果的に防ぐことができる。
【００２６】
（１１）上記（１）〜（１０）のいずれかの遊技機において、第１枠と、前記第１枠にヒンジ部を介して連結され、開閉自在な第２枠と、を備え、前記第１枠の内部には、前記配線を固定する固定部材が配設され、前記固定部材は、前記被覆部材と一体に前記配線を固定してもよい。
【００２７】
このような構成によれば、固定部材により、被覆部材と配線とを一体に固定することができ、被覆部材が配線に対して延在方向に位置ずれを起こすのを抑えることができ、配線を遊技機の内部に収容する際の作業性を向上することができる。
【００２８】
（１２）上記（１）〜（１１）のいずれかの遊技機において、複数の配線と、前記複数の配線の一方の端に接続される第１コネクタと、前記複数の配線の他方の端に接続される第２コネクタと、を備え、前記第１コネクタの形状と前記第２コネクタの形状とは同形状であり、前記第１コネクタが接続される複数の前記基板の第１接続部から、前記第１コネクタを見た場合の所定位置に前記複数の配線のうちの特定の配線が接続されており、前記第２コネクタが接続される複数の前記基板の第２接続部から、前記第２コネクタを見た場合の前記所定位置と同じ位置に前記特定の配線が接続されてもよい。
【００２９】
このような構成によれば、第１コネクタと第２コネクタとの向きを意識にせずに接続できる。
【図面の簡単な説明】
【００３０】
【図１】本発明の第１実施形態に係る遊技機の正面図である。
【図２】図１に示す遊技機のうち、前面扉を開いた状態を示す斜視図である。
【図３】図１に示す遊技機のハーネス及び被覆部材を示す図である。
【図４】図３に示すハーネス及び被覆部材において、被覆部材を動かした状態を示す図である。
【図５】図３に示す被覆部材の第１変形例を示す斜視図である。
【図６】図３に示す被覆部材の第２変形例を示す斜視図のうち、（ａ）付着部が面ファスナーである構成、（ｂ）付着部がスナップボタンである構成を示す図である。
【図７】図３に示す被覆部材の第３変形例を示す斜視図である。
【図８】図２に示す遊技機に、抑止部材が配設されている状態を示す図である。
【図９】図２に示す遊技機に、固定部材が配設されている状態を示す図である。
【図１０】本発明の第２実施形態に係る遊技機のハーネス及び被覆部材を示す図である。
【図１１】図１０に示すハーネス及び被覆部材の変形例を示す図である。
【図１２】図１０に示すハーネス及び被覆部材の接続例を示す図である。
【発明を実施するための形態】
【００３１】
［第１実施形態］
本発明に係る遊技機の一例であるスロットマシンを実施するための形態を以下に説明する。なお、以下の実施形態において、前後左右については、遊技者側から見た方向を示す。例えば、「右側」、「左側」、「前（または表）側」、「後（または裏）側」は、いずれも遊技者側から見た方向をいう。また、各図面の寸法等については、実際の寸法等と異なることがある。
【００３２】
本実施形態のスロットマシン１Ａは、図１に示すように、前面が開口し、正面視で矩形状をなす筐体（第１枠）１ａと、この筐体１ａの側端にヒンジ部を介して連結され、ヒンジ部回りに回動自在に枢支され、正面視で矩形状をなす前面扉１ｂ（第２枠）とから構成されている。前面扉１ｂは、筐体１ａに対してヒンジ部回りに回動することによって、筐体１ａの開口された前面側を開閉することができる（図２参照）。
【００３３】
本実施例のスロットマシン１Ａの筐体１ａの内部には、外周に複数種の図柄が配列されたリール２Ｌ、２Ｃ、２Ｒ（以下、左リール、中リール、右リール）が水平方向に並設されており、これらリール２Ｌ、２Ｃ、２Ｒに配列された図柄のうち連続する３つの図柄が前面扉１ｂに設けられた透視窓３から見えるように配置されている。
【００３４】
リール２Ｌ、２Ｃ、２Ｒの外周部には、互いに識別可能な複数種類の図柄が所定の順序で、それぞれ所定数、例えば２１個ずつ描かれている。リール２Ｌ、２Ｃ、２Ｒの外周部に描かれた図柄は、前面扉１ｂの略中央に設けられた透視窓３において各々上中下三段に表示される。
【００３５】
各リール２Ｌ、２Ｃ、２Ｒは、各々対応して設けられたリールモータによって回転されることで、各リール２Ｌ、２Ｃ、２Ｒの図柄が透視窓３に連続的に変化しつつ表示される一方で、各リール２Ｌ、２Ｃ、２Ｒの回転が停止されることで、透視窓３に３つの連続する図柄が表示結果として導出表示されるようになっている。
【００３６】
リール２Ｌ、２Ｃ、２Ｒの内側には、リール２Ｌ、２Ｃ、２Ｒそれぞれに対して、基準位置を検出するリールセンサと、リール２Ｌ、２Ｃ、２Ｒを背面から照射するリールＬＥＤと、が設けられている。また、リールＬＥＤは、リール２Ｌ、２Ｃ、２Ｒの連続する３つの図柄に対応する１２個のＬＥＤからなり、各図柄をそれぞれ独立して照射可能とされている。
【００３７】
前面扉１ｂの各リール２Ｌ、２Ｃ、２Ｒの上部には、液晶表示器５１が設けられており、液晶表示器５１における画像表示領域５１ａの前面には、カバー部材６１が設けられている。カバー部材６１は、透明の部材によって構成されており、カバー部材６１を介して遊技者側から後側を視認可能とされている。カバー部材６１は、液晶透過部６１ａとリール透過部６１ｂとを備えており、液晶透過部６１ａの後側に図１に示す液晶表示器５１が配置され、リール透過部６１ｂの後側に各リール２Ｌ、２Ｃ、２Ｒが配置されている。カバー部材６１は、透光性（光透過性）を有しており、液晶透過部６１ａを介して遊技者側から視認できるようになっており、各リール２Ｌ、２Ｃ、２Ｒは、リール透過部６１ｂを介して遊技者側から視認できるようになっている。
【００３８】
前面扉１ｂには、図１に示すように、メダルを投入可能なメダル投入部４、メダルが払い出されるメダル払出口９、クレジットを用いて、その範囲内において遊技状態に応じて定められた規定数の賭数のうち最大の賭数を設定する際に操作されるＭＡＸＢＥＴスイッチ６、クレジットとして記憶されているメダル及び賭数の設定に用いたメダルを精算する際に操作される精算スイッチ１０、ゲームを開始する際に操作されるスタートスイッチ７、リール２Ｌ、２Ｃ、２Ｒの回転を各々停止する際に操作されるストップスイッチ８Ｌ、８Ｃ、８Ｒ、演出に用いられる演出用スイッチ５６が遊技者により操作可能にそれぞれ設けられている。
【００３９】
また、前面扉１ｂには、図１に示すように、クレジットとして記憶されているメダル枚数が表示されるクレジット表示器１１、入賞の発生により払い出されたメダル枚数やエラー発生時にその内容を示すエラーコード、後述のナビ報知によるリールの停止順を識別可能な情報等が表示される遊技補助表示器１２、賭数が１設定されている旨を点灯により報知する１ＢＥＴＬＥＤ１４、賭数が２設定されている旨を点灯により報知する２ＢＥＴＬＥＤ１５、賭数が３設定されている旨を点灯により報知する３ＢＥＴＬＥＤ１６、メダルの投入が可能な状態を点灯により報知する投入要求ＬＥＤ１７、スタートスイッチ７の操作によるゲームのスタート操作が有効である旨を点灯により報知するスタート有効ＬＥＤ１８、ウェイト中である旨を点灯により報知するウェイト中ＬＥＤ１９、リプレイゲーム中である旨を点灯により報知するリプレイ中ＬＥＤ２０が設けられた遊技用表示部１３が設けられている。
【００４０】
本実施例のスロットマシン１Ａにおいてゲームを行う場合には、まず、メダルをメダル投入部４から投入するか、あるいはクレジットを使用して賭数を設定する。クレジットを使用するにはＭＡＸＢＥＴスイッチ６を操作すれば良い。遊技状態に応じて定められた規定数の賭数が設定されると、入賞ラインＬＮ（図１参照）が有効となり、スタートスイッチ７の操作が有効な状態、すなわち、ゲームが開始可能な状態となる。なお、遊技状態に対応する規定数のうち最大数を超えてメダルが投入された場合には、その分はクレジットに加算される。
【００４１】
ゲームが開始可能な状態でスタートスイッチ７を操作すると、各リール２Ｌ、２Ｃ、２Ｒが回転し、各リール２Ｌ、２Ｃ、２Ｒの図柄が連続的に変動する。この状態でいずれかのストップスイッチ８Ｌ、８Ｃ、８Ｒを操作すると、対応するリール２Ｌ、２Ｃ、２Ｒの回転が停止し、透視窓３に表示結果が導出表示される。
【００４２】
そして全てのリール２Ｌ、２Ｃ、２Ｒが停止されることで１ゲームが終了し、入賞ラインＬＮ上に予め定められた図柄の組合せが各リール２Ｌ、２Ｃ、２Ｒの表示結果として停止した場合には入賞が発生し、その入賞に応じて定められた枚数のメダルが遊技者に対して付与され、クレジットに加算される。また、クレジットが上限数（本実施例では５０）に達した場合には、メダルが直接メダル払出口９から払い出されるようになっている。また、入賞ラインＬＮ上に、遊技状態の移行を伴う図柄の組合せが各リール２Ｌ、２Ｃ、２Ｒの表示結果として停止した場合には図柄の組合せに応じた遊技状態に移行するようになっている。
【００４３】
そして本実施形態では、図２及び図３に示すように、スロットマシン１Ａは、複数の基板を接続するハーネス５０を備えている。ハーネス５０は、複数の配線２１と、これらの配線２１の延在方向における両端部にそれぞれ連結され、複数の配線２１を一体に連結するコネクタ１００と、を備えている。コネクタ１００がスロットマシン１Ａの各基板に接続されている。
ハーネス５０における配線２１は、被覆部材６０により覆われている。なお、ハーネス５０は配線２１の両端部にコネクタ１００が連結されていなくてもよい。
【００４４】
被覆部材６０の長さは、配線２１の長さよりも短くされ、被覆部材６０は、配線２１の延在方向に沿って移動可能とされている。被覆部材６０は可撓性を有するとともに、筒状をなす合成樹脂材料により形成されている。図示の例では、被覆部材６０は透明の材料により形成され、内部の配線２１が外部から視認可能とされている。
【００４５】
被覆部材６０の最大内形寸法は、コネクタ１００の最大外形寸法よりも小さく形成されている。図示の例では、被覆部材６０の内径は、延在方向の全域にわたって均等となっている。
また、延在方向に直交する断面視において、被覆部材６０の内側に位置する部分の面積のうち、複数の配線２１が占める面積の割合は、５０％未満とされている。このため、配線２１と被覆部材６０の内周面とには、径方向の隙間が設けられている。
【００４６】
ここで、被覆部材６０は、配線２１の延在方向に沿って移動可能とされている。このため、遊技機１Ａの基板にハーネス５０の配線２１を接続する作業の過程において、図４に示すように、仮に被覆部材６０が、配線２１の延在方向のうちの一方側に位置するコネクタ１００と隣接する位置に寄っていたとしても、このコネクタ１００を基板に取付ける直前に、延在方向の他方側に向けて被覆部材６０を、配線２１から取り外すことなく移動させることができる。これにより、このコネクタ１００の周囲を容易に露出させることが可能になり、配線２１の接続作業における作業性を確保することができる。
【００４７】
図５に示すように、被覆部材６０の第１変形例としての被覆部材７０は、延在方向に沿って複数の配線２１に対して螺旋状に巻回されている。この被覆部材７０では、被覆部材７０同士に螺旋状に延びる隙間が形成されることにより、この隙間が被覆部材７０の変形を容易にする特定部７０ａとされている。なお、変形を容易にする特定部としては、前述した隙間に限らず、被覆部材７０上に形成された孔、溝等でもよい。
【００４８】
図６に示すように、被覆部材６０の第２変形例としての被覆部材８０は、配線２１に着脱可能とされている。被覆部材８０の周方向の一部が分断された開閉部８１が形成されている。開閉部８１は、被覆部材８０の延在方向の全域にわたって延びている。被覆部材８０の周方向の一端部と他端部とは互いに径方向に重ねられ、重複部分にはそれぞれ、互いに離反自在に連結する付着部材８２が配設されている。
【００４９】
図６（ａ）に示す被覆部材８０Ａでは、付着部材８２として、面ファスナー８２Ａが配設されている。面ファスナー８２Ａは、開閉部８１の延在方向の全域にわたって配設されている。なお、面ファスナー８２Ａは延在方向に間欠的に配設されてもよい。
また、図６（ｂ）に示す被覆部材８０Ｂでは、付着部材８２として、合成樹脂製のスナップボタン８２Ｂが配設されている。スナップボタン８２Ｂは、被覆部材８０Ａに延在方向に間隔をあけて複数配設されている。なお、スナップボタンは金属製であってもよい。
【００５０】
図７に示すように、被覆部材６０の第３変形例としての被覆部材９０では、配線２１のうち、被覆部材９０よりも延在方向の外側に位置する部分には、被覆部材８０Ｂの延在方向への移動を規制する規制部材９１が配設されている。規制部材９１は延在方向に直交する平面視で円形状をなし、複数の配線２１を径方向に束ねる結束体である。規制部材９１を配設する場所としては、任意に設定することができ、被覆部材８０Ｂの延在方向の外側に、各別に配設してもよい。
【００５１】
また本実施形態では、図８に示すように、配線２１のうち、延在方向の一方側の端部は筐体１ａ内に設けられ、他方側の端部は前面扉１ｂ内に設けられ、筐体１ａの内側には、前面扉１ｂを開いた際に、配線２１がヒンジ部に接近するのを抑止する抑止部材９５が配設されていてもよい。
抑止部材９５は、筐体１ａの側壁部のうち、左右方向の内側を向く内面に配設されている。なお、抑止部材９５は、前面扉１ｂの内側に配設されてもよい。
【００５２】
抑止部材９５は、筐体１ａの側壁部に固定される支持部９５Ａと、支持部９５Ａから左右方向の内側に向けて延びるガイド部９５Ｂと、を備えている。ハーネス５０は、抑止部材９５の支持部９５Ａ内に通されるとともに、ガイド部９５Ｂに沿って配設されている。
ハーネス５０は、ガイド部９５Ｂにより、左右方向の内側に向けて案内されているため、ハーネス５０とヒンジ部との距離が確保され、ヒンジ部にハーネス５０が挟まれることが無い。
【００５３】
また本実施形態では、図９に示すように、筐体１ａの内部には、配線２１を固定する固定部材９６が配設され、固定部材９６は、被覆部材６０と一体に配線２１を固定していてもよい。
固定部材９６は、配線２１の延在方向に直交する平面視で矩形状を呈し、筐体１ａ内に配設された内装部材９７に取付けられている。固定部材９６は、配線２１及び被覆部材６０を、幅方向の全域にわたって、被覆部材６０の厚み方向に挟み込むことで、配線２１及び被覆部材６０を固定している。なお、固定部材９６は筐体１ａの内面に、直接取付けられていてもよい。
【００５４】
［第２実施形態］
次に、第２実施形態に係るスロットマシンについて説明する。
図１０に示すように、本実施形態に係るスロットマシンでは、被覆部材６０により被覆されたハーネス１５０は、複数の配線（配線４００Ｂ、４００Ｇ、４００Ｗ）と、複数の配線（配線４００Ｂ、４００Ｇ、４００Ｗ）の一方の端に接続される第１コネクタと、複数の配線の他方の端に接続される第２コネクタと、を備え、第１コネクタの形状と第２コネクタの形状とは同形状であり、第１コネクタが接続される複数の基板の第１接続部から、第１コネクタを見た場合の所定位置に複数の配線のうちの特定の配線が接続されており、第２コネクタが接続される複数の基板の第２接続部から、第２コネクタを見た場合の所定位置と同じ位置に特定の配線が接続されている。
【００５５】
図１０（ａ）は、本実施形態に係るハーネス１５０及び被覆部材６０の斜視図である。この図１０（ａ）は、配線の構成を分かりやすくするために、配線をたるませたときのハーネス１５０を示す斜視図である。図１０（ｂ）は、配線を伸長させたときのハーネス１５０の斜視図である。
【００５６】
ハーネス１５０は、複数の配線（配線４００Ｂ、４００Ｇ、４００Ｗ）を備える。
配線４００Ｂは、１１本の黒色の配線である。配線４００Ｇは、１０本の灰色の配線である。配線４００Ｗは、１本の白色の配線である。このように、複数の配線のうちの一の配線に特定の色が着色されている。具体的に、一の配線が配線４００Ｂの場合は黒色、一の配線が配線４００Ｇの場合は灰色、一の配線が配線４００Ｗの場合は白色が着色されている。例えば、白色の端子に接続される配線４００Ｗは、グランドを示す配線である。このように、一の配線に特定の色を着色することにより、配線の状況が確認しやすくなる。
【００５７】
図１０（ｃ）は、図１０（ａ）の矢印Ａ方向（接続方向）からコネクタ２００を見た図である。図１０（ｄ）は、図１０（ａ）の矢印Ｂ方向（接続方向）からコネクタ３００を見た図である。これらの図に示されるように、図１０（ｃ）、図１０（ｄ）に示される各コネクタは、略矩形状で上下を逆にしたものとなっている。従って、コネクタ２００、３００の形状は、同形状である。
【００５８】
ハーネス１５０は、複数の配線の一方の端に接続されるコネクタ２００と、複数の配線の他方の端に接続されるコネクタ３００とを備える。コネクタ２００、３００は、基板に設けられた接続部（レセクタプル）と接続する。また、コネクタ２００、３００は、それぞれ操作部２００ａ、３００ａを備える。操作部２００ａ、３００ａは、作業者や作業ロボットが接続部からコネクタ２００、３００を取り外したり、接続部に取り付けたりするためのものである。
【００５９】
図１０（ａ）に示されるように、特定の配線と、特定の配線以外の配線は交差する。例えば、特定の配線を配線４００Ｂとしたとき、配線４００Ｂと、配線４００Ｂ以外の配線（配線４００Ｇ、４００Ｗ）は交差する。ハーネス１５０の場合は、隣り合う配線４００Ｂの間に１本の配線４００Ｇが交差する態様である。このように交差させることにより、互いの配線が把持されるように支えあうため、配線がばらけることを抑制することができる。
【００６０】
コネクタ２００、３００は、１１個の端子が２列の２２個のメス端子を備える。図１０（ｃ）に示される操作部２００ａの側の反対側に位置する１１個の端子（黒色の端子）は、配線４００Ｂと接続する。図１０（ｃ）に示される操作部２００ａの側に位置する１１個の端子のうち、左から１１個の端子（灰色の端子）は、配線４００Ｇと接続し、右から１個の端子（白色の端子）は、配線４００Ｗと接続する。
【００６１】
図１０（ｄ）に示される操作部３００ａの側の反対側に位置する１１個の端子（黒色の端子）は、配線４００Ｂと接続する。図１０（ｄ）に示される操作部２００ａの側に位置する１１個の端子のうち、右から１１個の端子（灰色の端子）は、配線４００Ｇと接続し、左から１個の端子（白色の端子）は、配線４００Ｗと接続する。
【００６２】
このように、第１コネクタが接続する接続部から第１コネクタを見た場合の所定位置に複数の配線のうちの特定の配線が接続されており、第２コネクタが接続する接続部から第２コネクタを見た場合の所定位置と同じ位置に特定の配線が接続されている。図１０において、第１コネクタはコネクタ２００及びコネクタ３００のいずれか一方であり、第２コネクタは、第１コネクタがコネクタ２００の場合には、コネクタ３００であり、第１コネクタがコネクタ３００の場合は、コネクタ２００となる。また、特定の配線は、配線４００Ｂ、４００Ｇ、及び４００Ｗのいずれかの配線である。このように、所定位置と同じ位置に特定の配線が接続されているので、第１コネクタと第２コネクタとの向きを意識せずに接続できる。
【００６３】
次に、ハーネス１５０の変形例であるハーネス２５０について説明する。
図１１（ａ）は、本実施形態に係るハーネス２５０及び被覆部材６０の斜視図である。この図１１（ａ）は、配線の構成を分かりやすくするために、配線をたるませたときのハーネス２５０を示す斜視図である。図１１（ｂ）は、配線を伸長させたときのハーネス２５０の斜視図である。図１０で説明したハーネス１５０との違いは、配線の交差態様である。
【００６４】
図１１（ｃ）は、図１１（ａ）の矢印Ａ方向（接続方向）からコネクタ２００を見た図である。図１１（ｄ）は、図１１（ａ）の矢印Ｂ方向（接続方向）からコネクタ３００を見た図である。コネクタ２００、３００は、図１０で説明したコネクタ２００、３００と同じため、説明を省略する。また、ハーネス２５０は、複数の配線（配線４００Ｂ、４００Ｇ、４００Ｗ）を備え、配線４００Ｂは、１１本の黒色の配線であり、配線４００Ｇは、１０本の灰色の配線であり、配線４００Ｗは、１本の白色の配線であることも同じである。
【００６５】
図１１（ａ）に示されるように、特定の配線と、特定の配線以外の配線は交差する。例えば、特定の配線を配線４００Ｂとしたとき、配線４００Ｂと、配線４００Ｂ以外の配線（配線４００Ｇ、４００Ｗ）は交差する。ハーネス２５０の場合は、配線４００Ｂが１つの束となり、配線４００Ｇと配線４００Ｗが１つの束となり、この２つの束が交差する態様である。このように交差させることにより、配線がばらけることを抑制することができる。
【００６６】
図１２は、ハーネス１５０による接続例を示す図である。図１２において、遊技制御基板４０には、コネクタ２００が接続され、演出制御基板１４０にはコネクタ３００が接続されているものとする。遊技制御基板４０は、コネクタを接続するための５つの接続部１１０を備える。５つの接続部１１０は、いずれも遊技制御基板４０の端部４０ａに配置されている。さらに、５つの接続部１１０のいずれも、コネクタが接続された場合には、操作部が遊技制御基板４０の外方（矢印１１０ａの方向）を向くように配置される。
【００６７】
遊技制御基板４０に限らず、基板には複数の回路が搭載される。また、搭載された複数の回路をカバーで覆うこともある。こうした基板において、接続部を端部に配置しない場合には、接続部を端部に配置した場合と比較して、カバーや回路によりコネクタの取り外しや取り付ける操作を行うための空間が狭い空間となる。従って、接続部を端部に配置することによって、操作をするためのより広い空間が確保される。また、操作部が基板の外方を向くように配置されることから、操作部の側にさらに広い空間が確保されるので、コネクタ２００の取り外し、または取り付けの操作が容易になる。
【００６８】
演出制御基板１４０は、コネクタを接続するための５つの接続部１１１を備える。５つの接続部１１１のいずれも、コネクタが接続された場合には、操作部が演出制御基板１４０の一の方向（矢印１１１ａの方向）を向くように配置される。コネクタを接続部から取り外したり、接続部に接続する場合に、操作部が一の方向を向いていることにより、作業者や作業ロボットが取り外しや接続を一連の操作で行うことができるので、操作が容易となる。
【００６９】
図１２に示されるように、ハーネス１５０の遊技制御基板４０と演出制御基板１４０とが接続されることにより、遊技制御基板４０から演出制御基板１４０へ特定の配線（例えば配線４００Ｂ）により信号が伝えられる。信号は、例えば後述する各種コマンドであり、各種コマンドの一つとして押し順コマンドがある。押し順コマンドは、停止順を特定可能なコマンドであり、遊技者にとって有利な停止順を特定可能な押し順を送信可能なコマンドある。すなわち、特定の配線により伝えられる信号により、スロットマシンの遊技者に価値付与が行われるので、遊技者の価値を損なわない。
【００７０】
上述したコネクタ２００、３００は、メス端子を有するコネクタであったが、オス端子を有するコネクタであってもよい。また、コネクタ２００、３００は２２ピンを有するコネクタであったが、ピンの数はこれらに限定されるものではなく、複数のピンを有するコネクタであってもよい。さらに、コネクタ２００、３００は１１ピンを２段（または２ピンを１１段）有するコネクタであったが、段数はこれらに限定されるものではなく、１段以上の段数を有するコネクタであってもよい。
【００７１】
以上の構成を有する上記実施形態に係るスロットマシン１Ａは、（１）遊技を行うことが可能な遊技機であって、スロットマシン１Ａの複数の基板を接続する複数の配線２１と、複数の配線２１を被覆する被覆部材６０と、を有し、被覆部材６０の長さは、配線２１の長さよりも短くされ、被覆部材６０は、配線２１の延在方向に沿って移動可能であることを特徴とする。
【００７２】
このような構成によれば、スロットマシン１Ａの基板に接続される配線２１を被覆する被覆部材６０が、配線２１の長さよりも短くされるとともに、被覆部材６０が配線２１の延在方向に沿って移動可能とされているので、配線２１を特に保護したい部分のみを被覆部材６０により被覆することで、被覆部材６０により被覆されている部分のみが、曲がりにくくなることになる。これにより、配線２１をスロットマシン１Ａの内部に収容する際に、配線２１全体が曲がりにくくなることが無く、配線２１を屈曲させながらスロットマシン１Ａの内部に収容する作業を容易に行うことができる。
また、配線２１を基板に接続する作業の過程において、被覆部材６０を、配線２１の延在方向における端部から中央部に向けて動かすことで、配線２１の延在方向における端部を露出させることができ、配線２１の接続作業における作業性を確保することができる。
【００７３】
（２）上記（１）に記載のスロットマシン１Ａにおいて、被覆部材６０は、可撓性を有してもよい。
【００７４】
このような構成によれば、被覆部材６０が可撓性を有しているので、配線２１のうち、被覆部材６０により被覆した部分においても容易に屈曲させることができ、配線２１をスロットマシン１Ａの内部に収容する作業を一層容易に行うことができる。
【００７５】
（３）上記（１）または（２）のスロットマシン１Ａにおいて、被覆部材６０は、延在方向に延びる筒状であってもよい。
【００７６】
このような構成によれば、被覆部材６０が筒状であるため、配線２１に対する径方向の広がりを抑え、被覆部材６０がかさ張るのを抑えることができる。
【００７７】
（４）上記（１）〜（３）のいずれかのスロットマシン１Ａにおいて、複数の配線２１の延在方向における両端部にはそれぞれ、複数の配線２１を一体に連結するコネクタ１００が連結され、被覆部材６０の最大内形寸法は、コネクタの最大外形寸法よりも小さくてもよい。
【００７８】
このような構成によれば、被覆部材６０の最大内径寸法が、複数の配線２１を、その両端部で一体に連結するコネクタ１００の最大外形部分よりも小さいので、コネクタ１００から配線２１の延在方向の外側に向けて被覆部材６０が外れることがなく、被覆部材６０の取扱性を確保することができる。
【００７９】
（５）上記（１）〜（４）のいずれかのスロットマシン１Ａにおいて、被覆部材８０は、配線２１に着脱可能とされていてもよい。
【００８０】
このような構成によれば、被覆部材８０が配線２１に着脱可能とされているので、配線２１を基板に接続した状態のまま、被覆部材８０を取り外すことが可能になり、被覆部材８０の取扱性を確保することができる。
【００８１】
（６）上記（１）〜（５）のいずれかのスロットマシン１Ａにおいて、被覆部材７０には、変形を容易にする特定部７０ａが形成されてもよい。
【００８２】
このような構成によれば、被覆部材７０に、変形を容易にする特定部７０ａが形成されているので、被覆部材７０を曲がりやすくすることができ、被覆部材７０を配線２１とともにスロットマシン１Ａ内に収容する際の作業性を確保することができる。
【００８３】
（７）上記（１）〜（６）のいずれかのスロットマシン１Ａにおいて、被覆部材７０は、延在方向に沿って複数の配線２１に対して螺旋状に巻回されていてもよい。
【００８４】
このような構成によれば、被覆部材７０が、配線２１に対して螺旋状に巻回されているので、変形を容易にする特定部７０ａを、被覆部材７０に沿って、螺旋状に形成することができる。
【００８５】
（８）上記（１）〜（７）のいずれかのスロットマシン１Ａにおいて、配線２１のうち、被覆部材９０よりも延在方向の外側に位置する部分には、被覆部材９０の延在方向への移動を規制する規制部材９１が配設されてもよい。
【００８６】
このような構成によれば、配線２１に規制部材９１が配設されているので、配線２１のうち、被覆部材９０が位置する部分を制限することができ、被覆部材９０の取扱性を確保することができる。
【００８７】
（９）上記（１）〜（８）のいずれかのスロットマシン１Ａにおいて、延在方向に直交する断面視において、被覆部材６０の内側に位置する部分の面積のうち、複数の配線２１が占める面積の割合は、５０％未満であってもよい。
【００８８】
このような構成によれば、被覆部材６０の内側に位置する部分の面積のうち、半分以上の面積が空いた状態となっているので、必要に応じて、例えば、基板に接続する配線２１の数を増やした際等に、これらの新たな配線２１を被覆部材６０により一体に被覆することができ、配線２１を被覆部材６０によりまとめて収容することができる。
【００８９】
（１０）上記（１）〜（９）のいずれかのスロットマシン１Ａにおいて、正面視で矩形状をなす筐体１ａと、筐体１ａにヒンジ部を介して連結され、正面視で矩形状をなし、開閉自在な前面扉１ｂと、を備え、配線２１のうち、延在方向の一方側の端部は筐体１ａ内に設けられ、他方側の端部は前面扉１ｂ内に設けられ、筐体１ａ及び前面扉１ｂのうち少なくともいずれか一方の内側には、前面扉１ｂを開いた際に、配線２１がヒンジ部に接近するのを抑止する抑止部材９５が配設されてもよい。
【００９０】
このような構成によれば、抑止部材９５により配線２１がヒンジ部が接近するのを抑止することが可能になり、配線２１がヒンジ部に挟まれることで、断線するのを効果的に防ぐことができる。
【００９１】
（１１）上記（１）〜（１０）のいずれかのスロットマシン１Ａにおいて、筐体１ａと、筐体１ａにヒンジ部を介して連結され、開閉自在な前面扉１ｂと、を備え、筐体１ａの内部には、配線２１を固定する固定部材９６が配設され、固定部材９６は、被覆部材６０と一体に配線２１を固定してもよい。
【００９２】
このような構成によれば、固定部材９６により、被覆部材６０と配線２１とを一体に固定することができ、被覆部材６０が配線２１に対して延在方向に位置ずれを起こすのを抑えることができ、配線２１をスロットマシン１Ａの内部に収容する際の作業性を向上することができる。
【００９３】
（１２）上記（１）〜（１１）のいずれかのスロットマシンにおいて、複数の配線（配線４００Ｂ、４００Ｇ、４００Ｗ）と、複数の配線（配線４００Ｂ、４００Ｇ、４００Ｗ）の一方の端に接続される第１コネクタと、複数の配線（配線４００Ｂ、４００Ｇ、４００Ｗ）の他方の端に接続される第２コネクタと、を備え、第１コネクタの形状と第２コネクタの形状とは同形状であり、第１コネクタが接続される複数の基板の第１接続部から、第１コネクタを見た場合の所定位置に複数の配線のうちの特定の配線が接続されており、第２コネクタが接続される複数の基板の第２接続部から、第２コネクタを見た場合の所定位置と同じ位置に特定の配線が接続されてもよい。
【００９４】
このような構成によれば、第１コネクタと第２コネクタとの向きを意識にせずに接続できる。
【００９５】
本発明は上記した実施の形態に限定されるものではなく、その趣旨を逸脱しない範囲で適宜変更可能である。
例えば、遊技機として、左右方向に複数並んで配設される備え付けの枠体から成る第１枠と、この第１枠を前面から覆うように取付けられる第２枠と、からなるパチンコ遊技機であってもよい。
【００９６】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００９７】
１Ａ  スロットマシン（遊技機）
２１、４００Ｂ、４００Ｇ、４００Ｗ  配線
５０、１５０、２５０  ハーネス
６０、７０、８０、９０  被覆部材
９１  規制部材
９５  抑止部材
９６  固定部材
１００、２００、３００  コネクタ
【図１】
2018075139.tif 000003
【図２】
2018075139.tif 000004
【図３】
2018075139.tif 000005
【図４】
2018075139.tif 000006
【図５】
2018075139.tif 000007
【図６】
2018075139.tif 000008
【図７】
2018075139.tif 000009
【図８】
2018075139.tif 000010
【図９】
2018075139.tif 000011
【図１０】
2018075139.tif 000012
【図１１】
2018075139.tif 000013
【図１２】
2018075139.tif 000014